(57)【特許請求の範囲】
【請求項１】
情報機器が搭載されるベース体と、前記ベース体の前側を覆うように組み付けられるカバー体とを有するとともに、上面に情報機器を載置可能な機器載置板が、前記ベース体の前面に対して起立した姿勢で取付可能とされた情報分電盤用箱体であって、
前記機器載置板の後端に、上方へ突出する掛止部が設けられているとともに、前記機器載置板の後部下面に、下方へ突出する支持リブが左右方向に延設されている一方、
前記ベース体に、前記機器載置板の後部下面を支持可能で、且つ、前記機器載置板の左右幅よりも幅広な支持面が設けられ、前記支持面の上方に、下方へ突出しており、前記支持面上に載置された状態にある前記機器載置板の前記掛止部が掛止可能な被掛止部が設けられているとともに、前記支持面上に、上方へ突出する支持突条が左右方向に延設され、
さらに、少なくとも前記掛止部と前記被掛止部との何れか一方が左右方向へ延びるリブ状に形成されており、
前記機器載置板は、前記支持リブの先端が前記支持面に当接し、且つ、前記支持リブの後面と支持突条の前面とが当接した状態で取り付けられるとともに、
前記機器載置板を前記支持面上で左右方向へスライドさせることにより、前記掛止部の前記被掛止部に対する相対的な掛止位置が変更可能であることを特徴とする情報分電盤用箱体。
【発明の詳細な説明】
【技術分野】
【０００１】
本発明は、各種情報機器を収納した情報分電盤に使用される情報分電盤用箱体に関するものである。
【背景技術】
【０００２】
従来、情報分電盤に使用される情報分電盤用箱体としては、後側に配置されるベース体と、ベース体の前側を覆うカバー体とを備えるとともに、情報機器を載置するための機器載置板をベース体に取り付けたものが考案されている（たとえば特許文献１）。そして、そのような機器載置板は、ベース体の予め決められた位置にネジ止めして固定されることが一般的であった。
【先行技術文献】
【特許文献】
【０００３】
【特許文献１】特開２０１０−１０４０７３号公報
【発明の概要】
【発明が解決しようとする課題】
【０００４】
しかしながら、上述したようにベース体における機器載置板の取付位置が予め決められていると、情報分電盤用箱体内での情報機器の配置態様に係る自由度が乏しく、収納する情報機器の種類によっては、配線がスムーズにいかない、情報機器が発する熱により性能が低下する等といった問題が起こり得る。
【０００５】
そこで、本発明は、上記問題に鑑みなされたものであって、情報分電盤用箱体内での情報機器の配置態様に係る自由度が向上した情報分電盤用箱体を提供しようとするものである。
【課題を解決するための手段】
【０００６】
上記目的を達成するために、本発明は、情報機器が搭載されるベース体と、前記ベース体の前側を覆うように組み付けられるカバー体とを有するとともに、上面に情報機器を載置可能な機器載置板が、前記ベース体の前面に対して起立した姿勢で取付可能とされた情報分電盤用箱体であって、前記機器載置板の後端に、上方へ突出する掛止部が設けられているとともに、前記機器載置板の後部下面に、下方へ突出する支持リブが左右方向に延設されている一方、前記ベース体に、前記機器載置板の後部下面を支持可能で、且つ、前記機器載置板の左右幅よりも幅広な支持面が設けられ、前記支持面の上方に、下方へ突出しており、前記支持面上に載置された状態にある前記機器載置板の前記掛止部が掛止可能な被掛止部が設けられているとともに、前記支持面上に、上方へ突出する支持突条が左右方向に延設され、さらに、少なくとも前記掛止部と前記被掛止部との何れか一方が左右方向へ延びるリブ状に形成されており、前記機器載置板は、前記支持リブの先端が前記支持面に当接し、且つ、前記支持リブの後面と支持突条の前面とが当接した状態で取り付けられるとともに、前記機器載置板を前記支持面上で左右方向へスライドさせることにより、前記掛止部の前記被掛止部に対する相対的な掛止位置が変更可能であることを特徴とする。
【発明の効果】
【０００７】
本発明によれば、機器載置板の後端に、上方へ突出する掛止部を設ける一方、ベース体に、機器載置板の後部下面を支持可能で、且つ、機器載置板の左右幅よりも幅広な支持面を設けるとともに、支持面の上方に、下方へ突出しており、支持面上に載置された状態にある機器載置板の掛止部が掛止可能な被掛止部を設け、さらに、少なくとも掛止部と被掛止部との何れか一方を左右方向へ延びるリブ状に形成しており、機器載置板を支持面上で左右方向へスライドさせることにより、掛止部の被掛止部に対する相対的な掛止位置を変更可能とした。すなわち、収納する情報機器の種類等に応じて、ベース体における機器載置板の取付位置を適切な位置に調整することができる。したがって、情報機器の配置態様に係る自由度が高くて使い勝手が良く、たとえば配線がスムーズにいかない、情報機器が発する熱により性能が低下する等といった問題が生じない。
また、機器載置板の後部下面に、下方へ突出する支持リブを左右方向に延設する一方、支持面上に、上方へ突出する支持突条を左右方向に延設しており、機器載置板は、支持リブの先端が支持面に当接し、且つ、支持リブの後面と支持突条の前面とが当接した状態で取り付けられるようにしている。したがって、取付状態にある機器載置板のガタ付きを防止することができる。
【図面の簡単な説明】
【０００８】
【図１】情報分電盤の外観を示した斜視説明図である。
【図２】ベース体からカバー体を取り外した状態を示した斜視説明図である。
【図３】ベース体から機器載置板を取り外した状態を示した斜視説明図である。
【図４】ベース体から電源コンセントを取り外した状態を示した斜視説明図である。
【図５】図４の状態にあるベース体を前側から示した説明図である。
【図６】電源コンセントを示した斜視説明図である。
【図７】電源コンセントの説明図であり、（ａ）は上側から、（ｂ）は前側から、（ｃ）は右側から、（ｄ）は下側から夫々示している。
【図８】基台の説明図であり、（ａ）は前側から、（ｂ）は右斜め上側から夫々示している。
【図９】機器載置板から情報機器が取り除かれたベース体を示した斜視説明図である。
【図１０】図９の状態にあるベース体を前側から示した説明図である。
【図１１】図１０中のＡ−Ａ線断面を示した説明図である。
【図１２】機器載置板の説明図であり、（ａ）は上側から、（ｂ）は右斜め上側から、（ｃ）は前側から、（ｄ）は右側から夫々示している。
【図１３】機器載置板をベース体に取り付ける様子を示した説明図である。
【図１４】図９の状態から機器載置板の取付位置が変更されたベース体を示した説明図である。
【図１５】情報分電盤の断面を示した説明図である。
【図１６】配線管を用いる様子を示した説明図である。
【図１７】設置フレーム体が取り付けられたベース体を示した斜視説明図であり、（ａ）は設置フレーム体が閉姿勢にある状態を、（ｂ）は設置フレーム体が開姿勢にある状態を夫々示している。
【発明を実施するための形態】
【０００９】
以下、本発明の一実施形態となる情報分電盤用箱体（以下、箱体と称す）について、図面にもとづき詳細に説明する。
【００１０】
図１は、情報分電盤１の外観を示した斜視説明図である。図２は、ベース体４からカバー体５を取り外した状態を示した斜視説明図である。図３は、ベース体４から機器載置板３０を取り外した状態を示した斜視説明図である。図４は、ベース体４から電源コンセント２０、２０を取り外した状態を示した斜視説明図である。図５は、図４の状態にあるベース体４を前側から示した説明図である。図６は、電源コンセント２０を示した斜視説明図である。図７は、電源コンセント２０の説明図であり、（ａ）は上側から、（ｂ）は前側から、（ｃ）は右側から、（ｄ）は下側から夫々示している。図８は、基台２２の説明図であり、（ａ）は前側から、（ｂ）は右斜め上側から夫々示している。図９は、機器載置板３０から情報機器３が取り除かれたベース体４を示した斜視説明図である。図１０は、図９の状態にあるベース体４を前側から示した説明図である。図１１は、図１０中のＡ−Ａ線断面を示した説明図である。図１２は、機器載置板３０の説明図であり、（ａ）は上側から、（ｂ）は右斜め上側から、（ｃ）は前側から、（ｄ）は右側から夫々示している。図１３は、機器載置板３０をベース体４に取り付ける様子を示した説明図である。図１４は、図９の状態から機器載置板３０の取付位置が変更されたベース体４を示した説明図である。図１５は、情報分電盤１の断面を示した説明図である。図１６は、配線管９、９・・を用いる様子を示した説明図である。図１７は、設置フレーム体５１、５１が取り付けられたベース体４を示した斜視説明図であり、（ａ）は設置フレーム体５１、５１が閉姿勢にある状態を、（ｂ）は設置フレーム体５１、５１が開姿勢にある状態を夫々示している。
【００１１】
情報分電盤１は、箱体２内に情報機器３等を収納してなるものであって、箱体２は、情報機器３等が搭載される板状のベース体４と、ベース体４の前側を覆うカバー体５とを備えている。カバー体５は、前面、左右両側面５ａ、５ｂ、天面５ｃ、及び底面５ｄを有して、後側に開口する箱状に形成されている。そして、カバー体５の前面の左右両側には、前面から夫々隣り合う側面５ａ、５ｂへ跨がるように把持部６、６が設けられている。また、カバー体５の左側面５ａは、前方へ向かって右側へ傾斜する傾斜面とされており、右側面５ｂは、同様に、前方へ向かって左側へ傾斜する傾斜面とされている。また、天面５ｃは前方へ向かって下降する傾斜面とされており、底面５ｄは前方へ向かって上昇する傾斜面とされている。そして、天面５ｃ、底面５ｄには通気によって蓋体２内の熱を逃がすための多数の通気孔７、７・・が穿設されている。
【００１２】
一方、ベース体４は、前後方向が厚み方向となる板状に形成されており、その中央部には、図示しない情報機器をネジ止めして設置可能な設置板１１が備えられている。また、ベース体４には、電源コンセント２０を設置するためのコンセント設置部１５が複数箇所に設けられており、電源コンセント２０の設置位置を選択可能となっている。さらに、ベース体４には、上面に情報機器３を載置可能な機器載置板３０が、ベース体４から前側へ起立するような姿勢で取付可能となっている。そして、以上のような箱体２を有する情報分電盤１は、ベース体４を壁面等に固定した上で、設置板１１にネジ止めしたり機器載置板３０を利用したりして、必要な情報機器３をベース体４に設置し、最後にベース体４の前側にカバー体５を組み付けることで組み立て可能となっている。
【００１３】
ここで、電源コンセント２０とベース体４における電源コンセント２０の設置構造とについて説明する。
電源コンセント２０は、基台２２と、電源プラグを差し込み可能であり、基台２２の前面にネジ止めされるコンセント本体２１とからなる。基台２２は、左右方向へ長い略方体状の合成樹脂製ブロック体であり、上面の左部と右部とには、後側（ベース体４側）へ延びる脚片２３Ａと、その先端上面に設けられ、上側へ突出する係止突部２３Ｂとからなる係止片２３が夫々設けられている。また、基台２２の下面で、上面側の係止片２３、２３と対向する箇所にも、後側へ延びる脚片２３Ａと、その先端下面に設けられ、下側へ突出する係止突部２３Ｂとからなる係止片２３、２３が夫々設けられている。さらに、基台２２の上面で、右側の係止片２３の更に右側には、右側へ延びて上下方向に弾性を有する弾性片２４Ａと、弾性片２４Ａの先端から後側へ突設された係合突部２４Ｂとからなる係合部２４が設けられている。一方、基台２２の前面は略平坦に成形されており、その前面には、コンセント本体２１をネジ止めするための複数のネジ孔２５、２５・・が設けられている。
【００１４】
一方、ベース体４における設置板１１の上側には、電線や通信線等といった情報機器に接続するケーブルを引き込むための２つの引き込み口１２Ａ、１２Ｂを左右に並べてなる上引き込み部１３Ａが設けられている。また、設置板１１の下側にも、２つの引き込み口１２Ｃ、１２Ｄを左右に並べてなる下引き込み部１３Ｂが設けられている。さらに、上下の両引き込み部１３Ａ、１３Ｂには、各引き込み口１２Ａ〜１２Ｄの内側へ突出する設置リブ１４、１４が、引き込み口１２Ａ〜１２Ｄの上縁及び下縁に沿って左右に延設されている。また、各設置リブ１４の前後方向での位置は、各引き込み口１２Ａ〜１２Ｄの後端よりも上記係止突部２３Ｂの前後方向での厚みと略同じだけ前側となっている。そして、上下の両引き込み部１３Ａ、１３Ｂにおける引き込み口１２Ａ〜１２Ｄの開口縁であって、特に設置リブ１４、１４に、電源コンセント２０を設置するためのコンセント設置部１５が、夫々３箇所（左右両端部及び中央部）ずつ設けられている。
【００１５】
各コンセント設置部１５は、４つの被係止部１６、１６・・と１つの被係合部１７とを備えている。各被係止部１６は、設置リブ１４を係止突部２３Ｂの左右幅と略同じ幅にわたって切り欠いた切り欠き部１６Ａと、切り欠き部１６Ａから左右へ係止突部２３Ｂの左右幅と略同じ距離だけ離れた位置（なお、各コンセント設置部１５毎に、切り欠き部１６Ａから右側へ離れるか、それとも左側へ離れるかは統一されている）において、設置リブ１４の後面から後側へ立設された塞き止め面１６Ｂとからなる。また、被係合部１７は、設置リブ１４の前面に設けられた凹部として形成されている。そして、各コンセント設置部１５では、上側の設置リブ１４に２つの被係止部１６、１６が左右に並んで設けられているとともに、下側の設置リブ１４で上側の設置リブ１４に設けられた被係止部１６、１６と対向する位置に、残り２つの被係止部１６、１６が左右に並んで設けられている。また、後述の如くして被係止部１６、１６・・に電源コンセント２０の係止片２３、２３・・を係止させた際、電源コンセント２０の係合部２４に対応する位置に被係合部１７が設けられている。なお、各設置リブ１４における左右に並んだ被係止部１６、１６間の距離は、電源コンセント２０における左右に並んだ係止片２３、２３間の距離と同じとなっている。
【００１６】
上述したような電源コンセント２０をベース体４に設置するにあたっては、ベース体４に６箇所設けられているコンセント設置部１５、１５・・から適切なコンセント設置部１５を選択する。そして、電源コンセント２０の係止突部２３Ｂ、２３Ｂ・・を被係止部１６、１６・・の切り欠き部１６Ａ、１６Ａ・・にあてがい、後側へ押し込んで係止突部２３Ｂ、２３Ｂ・・を設置リブ１４、１４よりも後側へ位置させる。そして、そのまま電源コンセント２０を、ベース体４の前面に沿って塞き止め面１６Ｂ、１６Ｂ・・側へ左側若しくは右側へスライドさせれば、係止突部２３Ｂ、２３Ｂ・・が設置リブ１４の後側へ入り込んで、係止片２３、２３・・が被係止部１６、１６・・に係止する。また、このスライドにより、後側への押し込み時に弾性変形していた弾性片２４Ａが元の状態に復帰して係合突部２４Ｂが被係合部１７に係合し、係合部２４が被係合部１７に係合する。そして、この係止片２３、２３・・の被係止部１６、１６・・への係止、及び係合部２４の被係合部１７の係合をもって、電源コンセント２０は、コンセント設置部１５に固定されてベース体４に設置される。なお、当該設置状態において、電源コンセント２０は引き込み口１２Ａ〜１２Ｄの一部の前側を覆っている。
【００１７】
また、電源コンセント２０の設置位置を変更したい場合には、設置状態にある電源コンセント２０の係合部２４の弾性片２４Ａを変形させ、係合突部２４Ｂと被係合部１７との係合を解除すればよい。すると、電源コンセント２０の左右方向へのスライド（ベース体４の前面に沿ってのスライド）が可能となるため、電源コンセント２０をスライドさせて係止片２３、２３・・と被係止部１６、１６・・との係止を解除すれば、電源コンセント２０をベース体４から取り外すことができる。
【００１８】
なお、上引き込み部１３Ａからケーブルを引き込む際、図１６に示すように、接続される情報機器毎に配線管９、９・・を分けて引き込むことで配線の接続作業や引き回し作業等が簡易となる。そして、配線管９、９・・の判別を容易とするために、ベース体４の引き込み口１２Ａ、１２Ｂの上縁に沿って、ケーブルの種類、接続される情報機器等といったケーブル若しくは情報機器に関連する情報を表示するための名称表示部８、８・・が設けられている。
【００１９】
次に、機器載置板３０とベース体４における機器載置板３０の取付構造とについて説明する。
機器載置板３０は、上下方向が厚み方向となる合成樹脂製の板体であって、前部は情報機器３を載置する機器載置部として、後部はベース体４への取付部として夫々機能するようになっている。この機器載置部には、上下方向に貫通する多数の設置孔３１、３１・・が開設されている。そして、当該設置孔３１、３１・・を利用して、弾性を有するバンド部材（図示せず）を情報機器３に巻回させることで、機器載置部上で情報機器３を固定可能となっている。また、機器載置部の前端（機器載置板３０の前端）には、機器載置部の上面よりも上側へ突出しており、情報機器３が機器載置部上から転落する事態を防止する転落防止壁３２が設けられている。一方、取付部は、機器載置部よりも薄肉とされており、該取付部の上面における後端縁には、取付部の上面よりも上方へ突出しており、機器載置板３０をベース体４に掛止するための掛止リブ３３が、後端縁に沿って左右方向へ延設されている。また、取付部の下面における後端部は、後方へ向かって先細りするような傾斜面３４として成形されている。さらに、取付部の下面には、取付部は勿論、機器載置部の下面よりも下方へ突出する支持リブ３５が左右方向へ延設されている。
【００２０】
一方、ベース体４における下引き込み部１３Ｂの更に下側には、機器載置板３０を取り付けるための取付空間４０が設けられている。取付空間４０は、前側へ突き出た底面４１と、底面４１の上方に設けられ、底面４１の後半分程度を覆う天面４２と、底面４１の左右両端部において上方へ立設された側面４３、４３とに囲まれ、前面と上面の前半分とに開口した空間となっている。そして、天面４２の下面（取付空間４０内側の面）には、下方へ突出する被掛止リブ４４が、両側面４３、４３間にわたって左右方向へ延設されている。また、底面４１の上面（取付空間４０内側の面）には、上方へ突出する支持突条４５が、両側面４３、４３間にわたって左右方向へ延設されている。なお、取付空間４０の左右幅は、機器載置板３０の左右幅よりも十分に長い。また、取付空間４０の前後幅（特に底面４１の前後幅）は、機器載置板３０の取付部の前後幅と略同じとなっている。
【００２１】
そして、上述したような機器載置板３０をベース体４に取り付けるにあたっては、機器載置板３０をベース体４に対して傾斜させた姿勢とし、取付部を取付空間４０内に差し込む。それから、機器載置板３０の後端側を中心に前端側を下側へ回動させつつ、機器載置板３０の掛止リブ３３側を取付空間４０内の奥側へ押し込んでいく（図１３）。そして最終的に、機器載置板３０をベース体４の前面に対して略９０度起立する起立姿勢とした際、掛止リブ３３が被掛止リブ４４よりも後方へ回り込んで、掛止リブ３３が被掛止リブ４４に掛止することで、機器載置板３０はベース体４へ取り付けられることになる（図１１）。この取付状態にあっては、支持リブ３５の端面が底面４１上に当接しているとともに、支持リブ３５の先端後面と支持突条４５の前面とが当接しており、機器載置板３０のガタ付きが防止されている。
【００２２】
また、箱体２内部に収納される情報機器の種類等に応じて、取付空間４０内での機器載置板３０の取付位置を調整したい場合には、取付状態にある機器載置板３０を僅かに持ち上げて支持リブ３５を底面４５から浮かせた状態とする。そして、その状態のまま、左右方向へ機器載置板３０をスライドさせれば、図９に示すように右側の側面４３に当接する右端位置と、図１４に示すように左側の側面４３に当接する左端位置との間で、機器載置板３０の取付位置を自由に調整することができる。このとき、掛止リブ３３は、被掛止４４の後側に位置したままとなっており、機器載置板３０の左右方向へのスライドは、被掛止リブ４４に案内される格好でスムーズに行われることになる。なお、機器載置板３０が必要なくなった場合には、機器載置板３０の前端側を持ち上げて掛止リブ３３と被掛止リブ４４との掛止を解除した後、後端側が取付空間４０内から抜け出るように機器載置板３０を前方へ引き出せばよい。
【００２３】
さらに、箱体２には、設置板１１の前側で上下方向を軸として回動する設置フレーム体５１を取り付けてもよい。この設置フレーム体５１そのものの構成や設置フレーム体５１を支持する構成について、以下説明する。
ベース体４における左右両側縁部には、設置フレーム体５１を上下方向を軸として回動自在に支持するための軸支部５２、５２が夫々設けられている。また、ベース体４の左右方向での略中央部には、設置フレーム体５１を閉姿勢で保持するための保持部材５３が取り付けられている。保持部材５３は、上下方向に長い板状の基部（図示せず）と、基部の上部から前側へ突設された角筒状の被係止部５４と、基部の下部から前側へ突設された角柱状の被挟持部５５とを備えてなる。そして、この保持部材５３は、ベース体４に設けられた取付凹部（図示せず）内に嵌め込んだ状態で、ベース体４に掛止させることにより、ベース体４に対して着脱自在に取り付けられる。なお、保持部材５３を取り付けた際に使用する設置板１１には、被係止部５４や被挟持部５５を露出させるための開口が設けられている。
【００２４】
設置フレーム体５１は、左右方向の長さがベース体４の略半分程度となるような正面視矩形に成形されたフレーム体であって、その略全面にわたって上下左右に複数列並設された格子孔は、バンド部材を用いて情報機器３を締め付け固定するための設置孔５６として機能する。また、設置フレーム体５１の左右方向での一端側には、軸支部５２に軸支される軸部が設けられている。一方、設置フレーム体５１の左右方向で他端側の上部には、弾性を有する係止爪５７が後方へ突設されている。また、係止爪５７の下部（設置フレーム体５１の左右方向で他端側の下部）には、弾性を有する一対の挟持片５８、５８が後方へ突設されている。加えて、設置フレーム体５１の下縁には、設置フレーム体５１に設置される情報機器の底面を支持するための支持段部５９が、前方へせり出すように設けられている。
【００２５】
上述の設置フレーム体５１を用いる場合には、ベース体４に保持部材５３を取り付けた後、左右の軸支部５２、５２に夫々設置フレーム体５１の軸部を軸支させる。そして、設置フレーム体５１、５１を設置板１１の前側へ傾倒させ、各設置フレーム体５１の係止爪５７を被係止部５４に係止させるとともに、挟持片５８、５８を被挟持部５５に挟持させ、設置フレーム体５１、５１を閉姿勢で保持させればよい。すると、図１７（ａ）に示す如く、設置板１１の前面左右両部と設置フレーム体５１、５１との間に第１の設置空間が設けられ、左右の設置フレーム体５１、５１の前面に第２の設置空間が設けられる。なお、当該状態にある設置板１１へ情報機器を設置するにあたっては、係止爪５７と被係止部５４との係止及び挟持片５８、５８と被挟持部５５との挟持を解除として、図１７（ｂ）に示す如く、左右の設置フレーム体５１、５１を夫々開姿勢側へ回動させればよい。すると、設置板１１の前面が大きく開放され、設置板１１への情報機器の設置が容易となる。
【００２６】
以上のような構成を有する箱体２によれば、ベース体４に６箇所ものコンセント設置部１５、１５・・が設けられているとともに、電源コンセント２０側（基台２２側）に係止片２３、２３・・及び係合部２４を、各コンセント設置部１５に被係止部１６、１６・・及び被係合部１７を夫々設け、係止片２３、２３・・の被係止部１６、１６・・への係止と係合部２４の被係合部１７への係合とによって、電源コンセント２０をコンセント設置部１５に着脱自在に設置可能している。したがって、電源コンセント２０の設置にネジや工具等が必要でなく、電源コンセント２０の設置作業が非常に容易である上、収納する情報機器の種類やそれらの配置態様等に応じて電源コンセント２０の設置位置を容易に変更することができるため、使い勝手が良い。
【００２７】
また、箱体２内にケーブルを引き込むための引き込み口１２Ａ〜１２Ｄの開口縁にコンセント設置部１５、１５・・を設けているため、引き込み口１２Ａ〜１２Ｄの一部を覆うように電源コンセント２０を配置させることができ、箱体２内のスペースを効率良く使用することができ、箱体２内の設計自由度の向上等、使い勝手の一層の向上を図ることができる。
【００２８】
さらに、電源コンセント２０のベース体４への設置に係り、係合部２４を被係合部１７へ係合させるのみならず、電源コンセント２０側のスライドに伴って係止片２３、２３・・を被係止部１６、１６・・へ係止させるようにしているため、電源コンセント２０を強固にベース体４に設置することができる。
【００２９】
さらにまた、機器載置板３０の後端縁に、取付部の上面よりも上方へ突出しており、機器載置板３０をベース体４に掛止するための掛止リブ３３を、後端縁に沿って左右方向へ延設する一方、ベース体４における下引き込み部１３Ｂの更に下側に、前側へ突き出た底面４１と、底面４１の上方に設けられ、下方へ突出する被掛止リブ４４を備えた天面４２とを有する取付空間４０を設けている。そして、掛止リブ３３と被掛止リブ４４との掛止／解除により、機器載置板３０をベース体４に着脱自在に取付可能としている。したがって、工具やネジを要することなく、必要に応じて機器載置板３０を容易に着脱することができ、使い勝手が非常に良い。
【００３０】
またさらに、機器載置板３０の取付部の下面における後端部を、後方へ向かって機器載置板３０の厚みが先細りするような傾斜面３４として成形している。したがって、機器載置板３０のベース板４への着脱にあたり、機器載置板３０をスムーズに回動させることができ、機器載置板３０の着脱作業の一層の簡素化を図ることができる。
【００３１】
加えて、取付空間４０の左右幅を、機器載置板３０の左右幅よりも十分に長くしており、掛止リブ３３と被掛止リブ４４との掛止を維持したまま、取付空間４０内において機器載置板３０を左右方向へスライド可能とした。すなわち、収納する情報機器の種類等に応じて、機器載置板３０の取付位置をも容易に変更することができる。したがって、箱体２内における情報機器の配置態様に係る自由度が高くて使い勝手が良く、たとえば配線がスムーズにいかない、情報機器が発する熱により性能が低下する等といった問題が生じない。
【００３２】
また、ベース体４の引き込み口１２Ａ、１２Ｂの上縁に沿って、ケーブルの種類、接続される情報機器等といったケーブル若しくは情報機器に関連する情報を表示するための名称表示部８、８・・が設けられている。したがって、当該名称表示部８、８・・を利用することで、引き込み口１２Ａ、１２Ｂから引き込まれているケーブルがどの情報機器に接続されるどのようなケーブルであるかといったことを容易に判別することができ、ケーブルの接続作業や引き回し作業等が簡易となる。
【００３３】
さらに、カバー体５の天面５ｃ、底面５ｄには通気によって蓋体２内の熱を逃がすための多数の通気孔７、７・・が穿設されている。したがって、情報機器から生じる熱により箱体２内に自然対流が発生し、箱体２内に熱がこもりにくい。そして、この天面５ｃは前方へ向かって下降する傾斜面とされている一方、底面５ｄは前方へ向かって上昇する傾斜面とされているため、箱体２を部屋の天井際や床際に設置したとしても、天面５ｃと天井との間や、底面５ｄと床との間に隙間が形成されることになる。したがって、そのような場所に設置したとしても、天面５ｃや底面５ｄに設けられた通気孔７、７・・が塞がれることがなく、箱体２内の換気が阻害されにくい。
【００３４】
さらにまた、カバー体５の左側面５ａは、前方へ向かって右側へ傾斜する傾斜面とされている一方、右側面５ｂは、前方へ向かって左側へ傾斜する傾斜面とされている。すなわち、カバー体５の左右両側面が、前方へ向かって左右方向で夫々内側へ傾斜する傾斜面とされているため、箱体２を部屋の隅等の壁と壁とが交差する箇所に設置したとしても、側面５ａ、５ｂと壁との間に隙間が形成されることになる。したがって、そのような場所に設置したとしても、把持部６、６を確実に把持することができ、ベース体４に対するカバー体５の着脱を容易に行うことができる。
【００３５】
加えて、ベース体４に取付可能とされた機器載置板３０や設置フレーム体５１にも、情報機器を設置するための設置孔３１、５６として複数の貫通孔が設けられている。したがって、機器載置板３０や設置フレーム体５１を利用したとしても箱体２内における空気の流動性の低下を抑えることができ、箱体２内の熱を効率良く逃がすことができる。
【００３６】
なお、本発明に係る箱体の構造は、上記実施形態の態様に何ら限定されるものではなく、ベース体における電源コンセントの設置構造や機器載置板の取付構造等について、本発明の趣旨を逸脱しない範囲で、必要に応じて適宜変更することができる。
【００３７】
たとえば、ベース体におけるコンセント設置部の数や位置等については、上記実施形態の数や位置に何ら限定されることはなく、適宜変更することができる。
また、電源コンセント側に設ける係止片や係合部の数や位置、形状等についても適宜変更可能であり、複数の係合部を設けることで係止片のない電源コンセントとしても何ら問題はないし、ネジ止めにより電源コンセントを固定するような箱体であってもよい。
【００３８】
さらに、ベース体に設ける引き込み口の数や位置等についても上記実施形態のものに限定されることはないし、引き込み口の開口縁以外の箇所にコンセント設置部を設けることも可能である。
加えて、上記実施形態では、機器載置板側に設けた掛止部とベース体側に設けた被掛止部との両方をリブ状に形成しているが、掛止部と被掛止部との少なくとも何れか一方が左右方向へ延びるリブ状であればよい。
【００３９】
また、上記実施形態では、上引き込み部における引き込み口の上縁に沿って名称表示部を設けているが、上引き込み部における引き込み口の下縁に沿って名称表示部を設けてもよいし、下引き込み部における引き込み口の開口縁に名称表示部を設けてもよく、電線や通信線を引き込む引き込み口の開口縁であれば、名称表示部の位置や数は適宜設計変更可能である。
さらに、上記実施形態では、設置孔を有する機器載置板や設置フレーム体を採用しているが、そのような設置孔を有さない機器載置板や設置フレーム体を採用することも当然可能である。
【符号の説明】
【００４０】
１・・情報分電盤、２・・箱体（情報分電盤用箱体）、４・・ベース体、５・・カバー体、１１・・設置板、１２Ａ〜１２Ｄ・・引き込み口、１３Ａ、１３Ｂ・・引き込み部、１５・・コンセント設置部、２０・・電源コンセント、３０・・機器載置板、３３・・掛止リブ（掛止部）、４０・・取付空間、４１・・底面（支持面）、４２・・天面、４３・・側面、４４・・被掛止リブ（被掛止部）。
【図１】
0006796453.tif 000002
【図２】
0006796453.tif 000003
【図３】
0006796453.tif 000004
【図４】
0006796453.tif 000005
【図５】
0006796453.tif 000006
【図６】
0006796453.tif 000007
【図７】
0006796453.tif 000008
【図８】
0006796453.tif 000009
【図９】
0006796453.tif 000010
【図１０】
0006796453.tif 000011
【図１１】
0006796453.tif 000012
【図１２】
0006796453.tif 000013
【図１３】
0006796453.tif 000014
【図１４】
0006796453.tif 000015
【図１５】
0006796453.tif 000016
【図１６】
0006796453.tif 000017
【図１７】
0006796453.tif 000018